(57)【要約】【課題】カウンター開口部にシンクが簡単に取付けられ、カウンター開口縁とシンクとの隙間への水の進入を防ぐ流し台用シンクの取付け構造を提供する。【解決手段】カウンター２の開口部３に取付けられるシンク４の取付け構造であって、該開口部３は、カウンター開口縁２１から垂設されたガイド１によって仕切られるとともに、上記カウンター２の裏面には、上記開口部３を囲むように桟木６が取付けられ、上記ガイド１と、上記四角枠状の桟木６とにより形成された区画に、上記シンク周縁フランジ部４１が止水材５を介して上記カウンター２裏面の区画に、接着、固定されてなる。【選択図】図１
2004283376.tif 000002
【特許請求の範囲】
【請求項１】
カウンターの開口部に取付けられるシンクの取付け構造であって、該開口部は、カウンター開口縁から垂設されたガイドによって仕切られるとともに、上記カウンターの裏面には、上記開口部を囲むように桟木が取付けられ、上記ガイドと、上記四角枠状の桟木とで形成された区画に、上記シンクの周縁フランジ部が止水材を介して上記カウンター裏面の区画に、接着、固定されてなる流し台用シンクの取付け構造。
【請求項２】
上記ガイドの高さが、シンク周縁立上がり部の高さと略同一とされた請求項１に記載の流し台用シンクの取付け構造。
【請求項３】
上記ガイドの下部には、シンクから跳ねた水が流れ落ち易くするためのテーパ面が延設された請求項１に記載の流し台用シンクの取付け構造。
【請求項４】
上記接着に用いる接着剤が常温硬化性接着剤である請求項１に記載の流し台用シンクの取付け構造。
【請求項５】
上記カウンターが人工大理石からなる請求項１に記載の流し台用シンクの取付け構造。
【発明の詳細な説明】
【０００１】
【発明の属する技術分野】
本発明は、シンクの取付け構造に関する。さらに詳しくは、流し台のカウンターに設けられた開口部にシンクを取付ける構造に関する。
【０００２】
【従来の技術】
従来から上記技術に関しては、種々の技術が知られている（例えば、特許文献１、２参照。）。
【０００３】
【特許文献１】
特開平１０−１１４９８７号公報（第１−４頁、第１図）
【特許文献２】
特開２００２−３３９４２８号公報（第１−３頁、第１−３図）
【０００４】
【発明が解決しようとする課題】
本願図４に示す、カウンター２の開口部３にシンク４が取付けられた公知の流し台においては、上記図４におけるＸ−Ｘ線に沿う側断面図である本願図５からよくわかるように、見栄えをよくするため、カウンター２の開口縁２１をシンク４の方へ少しせり出して取付けている。詳しくは、本願図５に示すように、公知の流し台用シンクの取付け構造Ｂにおいては、カウンター２の開口縁２１がシンク４の周縁立上がり部４２より数ｍｍせり出して設けられ、上記開口縁２１とシンク４の周縁フランジ部４１との間には、止水材５として、紐状のブチルゴムが介挿されている。このとき、カウンター２の裏面に、開口部３を囲むように取付けられた四角枠状の桟木６と、シンク４の周縁立上がり部４２、周縁フランジ部４１、止水材５等で囲まれた区画には、ウレタン樹脂等の接着材７が充填され、シンク４がカウンター２の裏面に接着、固定されている。
【０００５】
上記のように構成することにより、カウンター２の開口縁２１で止水材５は目隠しされ、外見上は、カウンター２、シンク４の周縁立上がり部４２、シンク４の周縁フラット部４３等が目に触れ、見栄えのよいものとなる。しかしながら、上記構成となるようにシンク４を取付けるには、カウンター２を裏返し、その裏面にシンク４を上下反転して、シンク４の周縁フランジ部４１を下側にして載置し、カウンター２の裏面にマーキングを行って取付け位置を定める必要がある。さらに、このように仮置きしたシンク４を取り去り、マーキングを目安に止水材５を取付け、再びシンク４を載置し、最終的に接着剤７を充填するという、繁雑な作業を行う必要がある。
【０００６】
また、上記のように構成した公知のシンクの取付け構造Ｂにおいては、シンク４の取付け位置にバラつきが多く、さらにカウンター２の開口縁２１とシンク周縁フランジ部４１との隙間に、シンク使用中の跳ねた水等が原因でカビが発生し、不潔になるという問題もある。本発明は、このような問題を解決するためになされたものであって、カウンターに設けられた開口部にシンクを簡単に、作業性よく取付けることができるとともに、さらに上記カウンター開口縁とシンクとの隙間への水の進入を防ぐことが可能な流し台用シンクの取付け構造を提供することを、その課題とする。
【０００７】
【課題を解決するための手段】
上記課題を解決するために、本発明においては、つぎのような技術的手段を講じている。すなわち、本発明によれば、カウンターの開口部に取付けられるシンクの取付け構造であって、該開口部は、カウンター開口縁から垂設されたガイドによって仕切られるとともに、上記カウンターの裏面には、上記開口部を囲むように桟木が取付けられ、上記ガイドと、上記四角枠状の桟木とにより形成された区画に、上記シンクの周縁フランジ部が止水材を介して上記カウンター裏面の区画に、接着、固定されてなる流し台用シンクの取付け構造が提供される。このようにすることによって、カウンターに設けられた開口部にシンクを簡単に、作業性よく取付けることができるとともに、カウンター開口縁とシンクとの隙間への水の進入を防ぐことができる。
【０００８】
上記ガイドの高さは、シンク周縁立上がり部の高さと略同一とすることが好ましい。このようにすることによって、シンクの周縁立上がり部が、上記ガイドによって目隠しされ、また、例えば、カウンターとして用いた材料と同系統の色とすることにより、違和感のない、意匠的にも優れたものとなる。
【０００９】
上記ガイドの下部には、シンクから跳ねた水が流れ落ち易くするためのテーパ面が延設されることが好ましい。このようにすることによって、シンク使用中に、ガイドの周辺に水が跳ねても、上記テーパに沿って容易に流れ落ち、ガイドを清潔に保つことができる。
【００１０】
上記接着に用いる接着剤が常温硬化性接着剤であることが好ましい。シンクを上下反転させ、シンク周縁フランジ部を止水材を介して、カウンターの裏面に載置し、既述した区画に接着剤を流し込むことによって、接着剤が隅々まで充填され、常温で硬化した後、上下反転を元に戻せば、シンクをカウンターの開口部にしっかりと取付けることができる。
【００１１】
上記カウンターが人工大理石からなることが好ましい。さらに、シンクをステンレススチール製とすることにより、重厚で、かつ、清潔感のある流し台用シンクの取付け構造とすることができる。
【００１２】
【発明の実施の形態】
以下、本発明の好ましい実施の形態について、図面を参照して、さらに詳細に説明する。本実施形態においては、カウンターとして、人工大理石を用い、シンクとしては、ステンレススチール製を用いた。また、接着剤としては、常温硬化性ウレタン樹脂を用いた。なお、本実施形態において、本願図４、図５で示した従来技術と同一部分は同一符号で示す。
【００１３】
図１は、本発明にかかる流し台用シンクの取付け構造Ａを示す側断面図である。図１において、カウンター２に設けられた開口部３を形成する開口縁２１には、その周縁に沿って、ＡＢＳ樹脂製のプレート部材が接着により垂設され、ガイド１を構成している。また、カウンター２の裏面には、上記シンク４に設けられた開口部３を囲むように桟木６が取付けられている。図１からよくわかるように、上記ガイド１と、桟木６によって形成された区画に、シンク周縁立上がり部４２、フランジ部４１、止水材５等が、カウンター２の裏面に、接着剤７によって、接着、固定されている。
【００１４】
以下、本発明にかかる流し台用シンクをカウンターに取付ける工程について、図面を用いてさらに詳細に説明する。図２に示すように、まず、カウンター２を裏返し、カウンター２の開口縁２１に垂設したガイド１と、四角枠状の桟木６との間に形成された区画に止水材５を載置する。ついで、図３に示すように、シンク４を上下反転させ、シンク周縁立上がり部４２をガイド１に沿わせ、周縁フランジ部４１を止水材５を介して、カウンター２の裏面に載置する。
【００１５】
この状態で、上方から接着剤７を流し込むことによって、接着剤７が隅々まで充填され、接着剤が常温で硬化した後、上下反転を元に戻せば、図１に示す状態となる。このようにして、従来のように、カウンター２の裏面にシンク４を仮置きし、マーキングを行って取付け位置を定め、再びシンク４を載置し、接着剤７を充填するという繁雑な作業を行うことなく、簡単、かつ、取付け位置がバラつくことなく、シンク４をカウンター２の開口部３に取付けることができる。
【００１６】
上記ガイド１の高さは、シンク周縁立上がり部４２の高さと略同じとする。このようにすることによって、シンク４の周縁立上がり部４２は、ガイド１によって目隠しされ、また、例えば、カウンター２として用いた人工大理石と同系統の色とすることにより、違和感のない、意匠的にも優れたものとなる。また、図１に、よく示されているように、ガイド１の下部には、テーパ面１１が延設されているため、シンク使用中に水が跳ねても、テーパ面１１に沿って、容易に流し落とすことができる。
【００１７】
【発明の効果】
以上述べたように、請求項１に記載の発明は、カウンター２の開口部３に取付けられるシンク４の取付け構造であって、該開口部３は、カウンター開口縁２１から垂設されたガイド１によって仕切られるとともに、上記カウンター２の裏面には、上記開口部３を囲むように桟木６が取付けられ、上記ガイド１と、上記四角枠状の桟木６とにより形成された区画に、上記シンク４の周縁フランジ部４１が止水材５を介して上記カウンター裏面の区画に、接着、固定されてなる流し台用シンクの取付け構造である。このようにすることによって、カウンター２の開口部３にシンク４を簡単に、作業性よく取付けることができるとともに、カウンター開口縁２１とシンク４との隙間への水の進入を防ぐことができる。
【００１８】
請求項２に記載の発明は、上記ガイド１の高さは、シンク周縁立上がり部４２の高さと略同一とされる。このようにすることによって、請求項１に記載の発明の効果に加えて、シンク周縁立上がり部４２が、上記ガイド１によって目隠しされ、また、例えば、カウンター２として用いた材料と同系統の色とすることにより、違和感のない、意匠的にも優れたものとなる。
【００１９】
請求項３に記載の発明は、上記ガイド１の下部には、シンクから跳ねた水が流れ落ち易くするためのテーパ面１１が延設される。このようにすることによって、請求項１に記載の発明の効果に加えて、シンク使用中に、ガイド１の周辺に水が跳ねても、上記テーパ面１１に沿って容易に流れ落ち、ガイド１を清潔に保つことができる。
【００２０】
請求項４に記載の発明は、上記接着に用いる接着剤７が常温硬化性接着剤とされる。シンク４を上下反転させ、周縁フランジ部４１を止水材５を介して、カウンター２の裏面に載置し、既述した区画に接着剤７を流し込むことによって、接着剤７が隅々まで充填され、常温で硬化した後、上下反転を元に戻せば、請求項１に記載の発明の効果に加えて、シンク４をカウンター２の開口部３にしっかりと取付けることができる。
【００２１】
請求項５に記載の発明は、上記カウンター２が人工大理石から構成される。さらに、シンク４をステンレススチール製とすることにより、請求項１に記載の発明の効果に加えて、重厚で、かつ、清潔感のある流し台用シンクの取付け構造とすることができる。
【図面の簡単な説明】
【図１】本発明にかかる流し台用シンクの取付け構造を示す側断面図である。
【図２】本発明にかかる流し台用シンクをカウンターに取付ける工程を説明するための説明図である。
【図３】本発明にかかる流し台用シンクをカウンターに取付ける工程を説明するための説明図である。
【図４】公知の流し台を示す斜視図である。
【図５】公知の流し台用シンクの取付け構造を示す側断面図である。
【符号の説明】
Ａ          本発明にかかる流し台用シンクの取付け構造
１          ガイド
１１        テーパ面
２          カウンター
２１        開口縁
３          開口部
４          シンク
４１        シンク周縁フランジ部
４２        シンク周縁立上がり部
４３        シンク周縁フラット部
５          止水材
６          桟木
７          接着剤
Ｂ          公知の流し台用シンクの取付け構造
【図１】
2004283376.tif 000003
【図２】
2004283376.tif 000004
【図３】
2004283376.tif 000005
【図４】
2004283376.tif 000006
【図５】
2004283376.tif 000007